(57)【要約】  ベアリングカップアッセンブリ（４８）によって十字具（２０）と連結されたヨーク（１６）を備えたユニバーサルジョイント。上記ベアリング（１０）カップアッセンブリ（１０）は、ベアリング（５２）カップ、ベアリング（５０）、および一体シールデフレクタ固定器（６０）を備える。上記ベアリングカップアッセンブリは、上記十字具のトラニオン（４４）に回転可能に連結されている。上記一体シールデフレクタ固定器は、上記ベアリングアッセンブリを上記トラニオン上に保持するために上記十字具と係合するケース（１２０）を備える。【選択図】図３
2006528759.tif 000002
【特許請求の範囲】
【請求項１】
ジャーナルを有する脚を含むヨークと、
トラニオンを有し、上記ヨークと回転可能に連結された十字具と、
上記トラニオンに取り付けられ、上記ジャーナルと係合するチューブ形状部を有するベアリングカップと、
ケースおよび該ケースに連結されたエラストマーを備えたシールであって、該ケースが上記ベアリングカップの上記チューブ形状部に係合する第１輪状部および上記ベアリングカップから離れて伸びる第２輪状部を有し、該第２輪状部が上記十字具と係合し、上記エラストマーが上記トラニオンと係合する複数の輪状リップを有するシールと、を備えており、
上記複数の輪状リップが互いに離れている第１リップ、第２リップ、および第３リップを備え、該第２リップが上記エラストマーの本体部から一端が飛び出しているワイパーのような形状であるユニバーサルジョイント。
【請求項２】
上記第２輪状部が、上記ベアリングカップを上記トラニオン上に保持するために、上記十字具に形成された溝と偏よって係合するリップを備えた請求項１に記載のユニバーサルジョイント。
【請求項３】
上記ケースの上記第１輪状部が、厚みの増したランドで終端となり、該ランドが上記ベアリングカップ内に配置されているベアリングに近接して配置されている請求項２に記載のユニバーサルジョイント。
【請求項６】
上記ケースが、上記ベアリングカップの内周壁内に形成されている溝に係合して放射状に伸びる縁を備えた請求項１に記載のユニバーサルジョイント。
【請求項７】
上記チューブ形状部が、上記ベアリングカップの開口部にある端面を有し、上記複数のリップの内の少なくとも１つが、上記端面と上記トラニオンの遠位端との間に軸方向に位置される請求項１に記載のユニバーサルジョイント。
【請求項８】
上記ケースが、上記ベアリングカップの端面に係合して放射状に外側に向かって伸びるフランジを備えた請求項１に記載のユニバーサルジョイント。
【請求項９】
上記トラニオンの横断面と上記ベアリングカップとの間に配置されたスラストワッシャをさらに備えた請求項１に記載のユニバーサルジョイント。
【請求項１０】
本体から伸びるトラニオンを有する十字具と、
上記トラニオンに回転可能に連結されたベアリングカップアッセンブリと、を備え、
該ベアリングカップアッセンブリは、端部によって一端で閉じられているチューブ形状部を有するベアリングカップ、上記ベアリングカップ内に回転可能に配置されているベアリング、および上記ベアリングカップに連結された一体シールデフレクタ固定器を含み、該一体シールデフレクタ固定器が、上記チューブ形状部の内周面と係合する第１輪状部および上記チューブ形状部の開口部から伸びる第２輪状部を有するケースを含み、該第２輪状部が、上記トラニオン上に上記ベアリングカップアッセンブリを保持するために上記十字具と係合する複数のリップを含んでおり、
上記複数の輪状リップが互いに離れている第１リップ、第２リップおよび第３リップを含み、該第２リップが上記第２輪状部の本体部から一端が飛び出しているワイパーのような形状であるユニバーサルジョイント。
【請求項１１】
上記複数のリップの内少なくとも1つが、上記十字具内に形成された溝と偏って係合する請求項１０に記載のユニバーサルジョイント。
【請求項１２】
上記ケースの上記第１輪状部が、上記ベアリング付近に配置されたランドで終端となる請求項１１に記載のユニバーサルジョイント。
【請求項１３】
上記第１輪状部の厚みが上記ランドにおいて増加する請求項１２に記載のユニバーサルジョイント。
【請求項１４】
上記ケースに連結され、かつ上記トラニオンと密閉係合する上記複数の輪状リップを有するエラストマーをさらに備えた請求項１０に記載のユニバーサルジョイント。
【請求項１６】
ヨーク、十字具、ベアリングカップ、ベアリング、および一体シールデフレクタ固定器を備えたユニバーサルジョイントを組み立てる方法であって、
上記ベアリングカップ内に上記ベアリングを配置させる工程と、
上記一体シールデフレクタ固定器を上記ベアリングカップに取り付ける工程であって、該一体シールデフレクタ固定器がケースおよび該ケースに連結されたエラストマーを含み、該ケースが上記ベアリングカップ内に配置された第１部分および上記ベアリングカップから放射状に外側に向かって伸びる第２部分を有するようになっている工程と、
上記エラストマーを、上記十字具のトラニオンと係合させる工程と、
上記ベアリングカップを上記トラニオンと回転可能に連結させるために、上記ケースの第２部分を上記十字具に係合させる工程と、
上記ベアリングカップを上記ヨークに連結させる工程と、を含み、
上記一体シールデフレクタ固定器を上記ベアリングカップに取り付ける工程が、上記ケースの放射状に外側に向かって伸びる縁を、上記ベアリングカップ内に形成された溝内に挿入する工程をさらに含む方法。
【請求項１７】
上記エラストマーの複数のリップを上記トラニオンと係合させる工程をさらに含む請求項１６に記載の方法。
【請求項１８】
上記第１部分の端面を上記ベアリング付近に配置させる工程をさらに含む請求項１７に記載の方法。
【請求項１９】
上記第２部分を上記十字具と係合させる工程が、上記第２部分のリップを、上記十字具上に形成された溝内にスナップで取り付ける工程を含む請求項１６に記載の方法。
【請求項２０】
スラストワッシャを、上記ベアリングカップと上記トラニオンとの間に配置する工程をさらに含む請求項１６に記載の方法。
【発明の詳細な説明】
【発明の詳細な説明】
【０００１】
〔発明の背景〕
本発明は、一般的に、車両の動力伝達装置内で使用するユニバーサルジョイントに関するものである。より具体的には、本発明は、一体シール、デフレクタ、およびベアリングカップアッセンブリを十字型トラニオンへ固定する固定器を備えたユニバーサルジョイントに関するものである。
【０００２】
一般的に知られているように、ユニバーサルジョイントは、一対の回転シャフトを相互に連結させ、該回転シャフト間の角度に変化をつけられるようにするために、車両の動力伝達装置アプリケーションに使用される。従来の多くのユニバーサルジョイントは、上記回転シャフトに固定された一対の二股ヨークを備えている。この二股ヨークは、独立軸を中心に回転するようにスパイダまたは十字具によって連結されている。この十字具は４つのトラニオンを備え、軸方向に配列されてそれぞれが向き合っている対のトラニオンは、上記二股ヨーク内に形成された、配列された一対の穴に取り付けられている。一般的に、対になっているトラニオンの内のひとつに対して軸運動するように各ヨークが支持されるように、ベアリングカップは各穴に固定され、ベアリングアッセンブリは上記ベアリングカップ内に保持される。シールは、汚染物が上記ベアリングへ侵入するのを防ぐために、上記ベアリングカップへ連結されている。シール洗浄器は、シールがベアリングに触れないように、また使用中に起こりうる損傷から保護するために、ベアリングとシールとの間に配置されている。さらに、スラストワッシャは、トラニオンとベアリングカップとの間に起こりうる放射方向の推力を吸収するために、これらの間に配置されている場合がある。
【０００３】
上記ユニバーサルジョイントのアッセンブリ中、ベアリングアッセンブリを二股ヨークへ連結させる際に困難が生じる可能性がある。一般的に、各ベアリングアッセンブリ、スラストワッシャ、およびベアリングカップはトラニオン上に配置されているが、トラニオンに必ずしも保持されていない。アッセンブリ工程中に、ベアリングカップおよびベアリングアッセンブリが不意に乱され、トラニオンから分離してしまう可能性がある。アッセンブリ工程中に、重力によって部品が分離する可能性もある。その結果、ベアリングの汚染物および生産率の低下を招くことがある。一部の例においては、出荷および作業中にベアリングカップアッセンブリを所定の位置に保持しておくために、外紐、網、またはその他の包装材料が使用される。これらの紐は、時間と費用との経費を要求してくる最終使用者によって除去および廃棄されなければならない。従って、廃棄可能な外部器具を使用することなく、トラニオン上に保持されたベアリングカップアッセンブリを備えたユニバーサルジョイントを提供することは有益である。
【０００４】
さらに、別個のシール、シール洗浄器、および固定器の製造および処理にはコストがかかる。そのため、一体シール、デフレクタ、および固定器を備えたユニバーサルジョイントを提供し、別個のシール洗浄器および固定器の必要性をなくすことは有益である。
【０００５】
〔発明の概要〕
本発明は、一対の回転シャフトを相互に連結させるためのユニバーサルジョイントを対象としたものである。上記ユニバーサルジョイントは、十字具によって相互に連結された一対の二股ヨークを備える。上記十字具は４つの直交するトラニオンを有する。一体シール、デフレクタ、および固定器アッセンブリ（一体化されたシール、デフレクタおよび固定器のアセンブリ）は、ベアリングカップ内に配置されているベアリングアッセンブリを保護するために、各トラニオンと係合する。上記一体シール、デフレクタ、および固定器アッセンブリは、上記ベアリングカップと係合する第１部分と、上記ベアリングカップから離れて伸びる第２部分とを有するケースを備える。上記第２部分は、上記ベアリングアッセンブリを各トラニオンへ保持するために上記十字具と係合する。
【０００６】
本発明については、下記の詳細な説明および添付図によってより理解を深めることができるであろう。
【０００７】
〔好適な実施形態の詳細な説明〕
一般的に、本発明は、回転シャフト間の角度に変化をつけられる方法で該回転シャフトを相互に連結させるために車両の動力伝達装置アプリケーションに使用されるタイプのユニバーサルジョイントを対象としている。
【０００８】
図１および図２を参照すると、第１シャフト１２を第２シャフト１４へと連結させているユニバーサルジョイント（universal joint）１０が示されている。一般的に、ユニバーサルジョイント１０は、第１シャフト１２の一端に付けられた第１ヨーク１６と、第２シャフト１４の一端に付けられた第２ヨーク１８と、第１ヨーク１６を第２ヨーク１８へ相互に連結させる十字具(cruciform)２０とを備えている。第１ヨーク１６は二股に分かれており、構成線「Ａ」で示されているように、好ましくは第１シャフト１２の回転軸に対称である、間隙をおいて側部に配される一対の脚２２を有している。脚２２は、内部面２４と、外部面２６とを有し、ジャーナル(journal)２７がその間に伸びている。アパーチャー２８は、締め具３１を介して一対のエンドキャップ３０を脚２２へ連結させることによって形成される。エンドキャップ３０はジャーナル２７と共にアパーチャー(apertures)２８を完成させる。アパーチャー２８は、第１シャフト１２の回転軸「Ａ」を通過し、またそれに直交する構成線「Ｙ」で示されている第１トラニオン軸上で一直線になっている。
【０００９】
第２ヨーク１８は二股に分かれており、構成線「Ｂ」で示されている第２シャフト１４の回転軸に好ましくは対称である、間隙をおいて側部に配される一対の脚３２を有している。脚３２は、内部面３４と、外部面３６とを有し、アパーチャー３８がその間に伸びている。アパーチャー３８は、第２シャフト１４の回転軸「Ｂ」を通過し、またそれに直交する構成線「Ｚ」で示されているように、第２トラニオン軸上で一直線になっている。アパーチャー３８は、内部面３４と外部面３６との間に形成されている輪状の溝４０を有する貫通孔である。なお、アパーチャー２８および３８の形状および寸法は、これらと共に使用される十字具の具体的な寸法次第で、同じでも異なっていてもよい。また、輪状のリング溝４０は、機械加工、成型、または同様の技術によって形成されてもよい。
【００１０】
図２に最もよく示されているように、十字具２０は中心ハブ４２を有し、該中心ハブ４２から一対の第１トラニオン(trunnion)４４および一対の第２トラニオン４６が伸びている。第１トラニオン４４は、第２トラニオン４６に直交している。第１トラニオン４４は、第１トラニオン軸「Ｙ」上で軸方向に一直線になるように、第１ヨーク１６の脚２２中のアパーチャー２８へ挿入されるように適応されている。同様に、第２トラニオン４６は、第１トラニオン軸「Ｚ」上で軸方向に一直線になるように、第２ヨーク１８の脚３２中のアパーチャー３８へ挿入されるように適応されている。第１トラニオン４４および第２トラニオン４６が、それぞれ第１ヨーク１６および第２ヨーク１８に組み込まると、トラニオン軸「Ｙ」および「Ｚ」は、図１に示されているように、十字具２０の回転軸を直角に横切る共通面「Ｃ」を通過する。
【００１１】
ユニバーサルジョイント１０は、アパーチャー２８に取り付けられように適応された第１ベアリングカップアッセンブリの対、およびアパーチャー３８に取り付けられるように適応された第２ベアリングカップアッセンブリの対をさらに備える。第１ベアリングカップアッセンブリ４８は、アパーチャー２８中の第１トラニオン４４を受け、回転可能に支持するように備えられている。同様に、第２ベアリングカップアッセンブリ５０は、アパーチャー３８中の第２トラニオン４６を受け、回転可能に支持するように備えられている。簡潔にするために、第２ベアリングカップアッセンブリ５０に対応する部品はほぼ同一であるという了解のもとで、以下の説明は第１ベアリングカップアッセンブリ４８の部品に限定する。
【００１２】
図３および図４は、ベアリングカップ５２、スラストワッシャ５４、ローラーベアリング５６、および一体シール、デフレクタ、および固定器アッセンブリ（一体化されたシール、デフレクタおよび固定器のアッセンブリ）６０を備えたベアリングカップアッセンブリ４８を示す。ベアリングカップ５２は、ほぼ空洞であり、円筒形をしている。ベアリングカップ５２は、一端である端部６４で閉じられている、ほぼ円筒形のチューブ形状部６２を有している。チューブ形状部６２は、外壁面６６および内壁面６８を有している。端部６４は、外面７０および内面７２を有している。ローラーベアリング５６は、内壁面６８とトラニオン４４の外壁面７４との間に配置されて、ベアリングカップ５２とトラニオン４４との間の相対回転運動を可能にしている。ローラーベアリング５６は、トラニオン４４の「Ｙ」軸に平行な軸上で回転するような方向に向けられており、この軸周りに配置される。各ローラーベアリング５６の一端は、スラストワッシャ５４の周囲フランジ部７８上に形成されているベアリング表面７６に対して回転するように支持されている。ローラーベアリング５６の反対側の端は、一体シール、デフレクタ、および固定器アッセンブリ６０（以下、ＩＳＤＲ（integral seal deflector retainer）６０と称する）によって捕捉されている。ＩＳＤＲ６０は、ローラーベアリング５６を汚染物から保護し、また潤滑油をベアリングカップアッセンブリ４８内に保持するために、ベアリングカップ５２の内壁面６８とトラニオン４４との間に伸びている。
【００１３】
図２から４に最もよく示されているように、スラストワッシャ５４は、ディスク部８２を有し、該ディスク部８２から円周フランジ７８が伸びている。中心開口８６は、ディスク部８２を通って伸び、各トラニオンに備えられた潤滑油通路９２と連絡している。十字具２０の中心ハブ４２に取り付けられているフィッティング部材（fitting）（不図示）は、潤滑油通路９２と連絡している。上記フィッティング部材は、相対運動する表面の間に潤滑油膜を提供するだけでなく、ローラーベアリング５６を滑らかにするために潤滑油を通路９２へ供給する。
【００１４】
ディスク部８２は、ベアリングカップ５２の内面７２に面し、かつ接触する外面表面９６を有している。ディスク部８２は、トラニオン４４の端面１００に面し、かつ接触する内面表面９８をさらに有している。内面表面９８および外面表面９６は、ディスク部８２の厚みが一定となるように、ほぼ平行になっている。さらに、スラストワッシャ５４は、フランジ部７８によって規定されるように、周内壁面１０２および周外壁面１０４を有している。周囲内壁面１０２は、トラニオン４４の外壁面７４に面するように適応されている。周囲外壁面１０４は、ベアリングカップ５２の内壁面６８に面している。このように、スラストワッシャ５４は、ベアリングカップ５２およびトラニオン４４を配列させる機能を有する。
【００１５】
スラストワッシャ５４は、中心開口８６からフランジ部７８の周囲内壁面１０２まで放射状に伸びる一続きの潤滑溝（lubrication grooves）１１２を備えている。溝１１２は、側面から見ると弓形であり、円筒型の壁面を構成している。望ましくは、溝１１２は奇数個備えられ、ディスク部８２の同様の数のパイ状部分を規定するように、均等に間隔が空けられている。さらに、複数のへこみ、または窪み１１４がディスク部８２のパイ状部分に形成されている。窪み１１４は、任意の方向を向かせることができ、さらに好ましくは配列されて２つの円周に沿った列を規定する。窪み１１４は、トラニオン端面１００を広範囲に渡って継続的に潤滑化させるために、潤滑油をその中に保持するように適応されている。さらに窪み１１４は、動作面から汚染物を除去してその中に捕集することができる。スラストワッシャ５４は、射出成形されたプラスチックのような弾力性のある物質から構成されている。
【００１６】
図４は、ケース１２０と、該ケース１２０に連結されたエラストマー(elastomer)とを備えたＩＳＤＲ６０を示す。ケース１２０は、射出成型された熱可塑性プラスチックから構成されていると好適である。エラストマー１２２は、油、油脂、オゾン、またはその他の一般的に存在する化合物への暴露による劣化からの回復力があり、かつそれらに対して耐性がある射出成型可能な化合物から構成されていると好適である。しかし、言うまでもなく、ケース１２０の一部または全部は、型打ちされた鋼板のような上記以外の物質から構成されていてもよい。ケース１２０は、一般的に、カップ状の部材である。ケース１２０は、輪状の壁１２４、外側に伸びるフランジ１２６、およびほぼ円錐形のデフレクタ１３０を備えている。輪状の壁１２４は、ランド１３２で終端となる。デフレクタ１３０は、フランジ１２６から伸びる先細りの壁１３３を有する。先細りの壁１３３は、リップ(lip)１３４で終端となる。ケース１２０は、ランド１３２からデフレクタ１３０まで伸びる内面１３６を有する。外面１３８は、内面１３６と向かい合ってケース１２０の反対側に配置され、ランド１３２からデフレクタ１３０まで伸びる。エラストマー１２２は、内面１３６に連結され、ほぼランド１３２からデフレクタ１３０まで伸びる。
【００１７】
エラストマー１２２は、第１リップ１４０、第２リップ１４２、および第３リップ１４４を備える。第１リップ１４０は、主要なシールとして機能し、第１シールレース部分（first seal race portion）１４６でトラニオン４４と係合する。図４は、トラニオン４４の外壁面７４よりわずかに大きい外径を有する第１シールレース部分を備えたトラニオン４４を示す。シールレース部分１４６は、本発明の範囲から逸脱することなく、外壁面７４と同じまたは異なる大きさおよび形状にすることができるということは、当業者には理解されるであろう。トラニオン４４は、溝１４９において第２シールレース部分（second seal race portion）１４８をさらに備える。第１リップ１４０は、通常は第１シールレース部分１４６を妨害するような大きさになっている。エラストマー１２２が弾力性のある物質から構成されているため、第１リップ１４０は第２シールレース部分１４８と偏って係合する。
【００１８】
第２リップ１４２は、エラストマー１２２の本体１５４から伸びるワイパーのような形状をしている。第２リップ１４２は、汚染物の侵入を退ける角度で本体１５４から伸びている。第３リップ１４４もまた、本体１５４から放射状に内側に伸びるワイパーのような形状をしている。第２リップ１４２は、第１リップ１４０から離れており、第１シールレース部分１４６と偏って係合する。第３リップ１４４は、トラニオン４４上に配置された後、第２シールレース部分１４８と偏って係合するように構成されている。第３リップ１４４は、ロードされていない位置（unloaded position）（不図示）から、図４に示す、偏って係合している位置まで向きを変える。第３リップ１４４は、汚染物の侵入を退けるように、本体１５４から一端が飛び出している。言うまでも無く、リップ１４０、１４２、および１４４は単なる例証であって、本発明の範囲を逸脱することなく、あらゆる数量の断面形状を含むように構成されていてもよい。
【００１９】
図４は、ベアリングカップ５２と押し込み(press-fit arrangement)係合するケース１２０を示す。具体的には、ケース１２０の輪状の壁１２４は、ベアリングカップ５２の内壁面６８と係合する。外側に伸びるフランジ１２６は、ベアリングカップ５２の端面１６０に向かい合って配置されている。ユニバーサルジョイント１０をアッセンブリする際、ベアリングカップアッセンブリ４８が、トラニオン４４上への配置前に完成されると好適である。スラストワッシャ５４は、外面表面９６がベアリングカップ５２の内面７２に接触するように、ベアリングカップ５２内にまず挿入される。次に、ローラーベアリング５６がベアリングカップ５２内に配置される。ＩＳＤＲ６０は、ベアリングカップに圧入される。この時、ベアリングカップアッセンブリ４８が処理されて十字具２０に連結される。ベアリングカップアッセンブリ４８は、トラニオン４４の外壁面７４に接触してベアリング５６が配置されるように軸方向に平行移動される。この時、第１リップ１４０、第２リップ１４２、および第３リップ１４４は、それらの各シールレース部分と係合する。さらに、デフレクタ３０は、リップ１３４が第２シールレース部分１４８上を移動する際に偏って変形される。リップ１３４は、ベアリングカップアッセンブリ４８が適切に配置されると、溝１４９にパチンと（snap-fit arrangement）係合する。ケース１２０が比較的弾力性のある物質から構成されているため、リップ１３４が溝１４９に係合した状態を維持するようにデフレクタ１３０が力を及ぼし、それによってベアリングアッセンブリ４８がトラニオン４４状に保持される。
【００２０】
図５は、外面１３８に成型された、または付着した任意のエラストマー被覆１５６を示す。エラストマー被覆１５６は、カップ内壁面６８とケース１２０との間に汚染物が侵入することを退けるための、付加的なシール機能を備える。エラストマー被覆１５６はさらに、より高い摩擦係数を備えているため、ベアリングカップ５２からＩＳＤＲ６０を取り除くために必要な力を増加させる。
【００２１】
図６は、一体シール、デフレクタ、および固定器アッセンブリ（ＩＳＤＲ）２００の別の実施形態を示す。ＩＳＤＲ２００は、前述したＩＳＤＲ６０とほぼ同様である。従って、同様の要素は、前出の符号を引き続き用いて識別する。ＩＳＤＲ２００は、放射状に外側に伸び、かつランド１３２またはその付近に配置されている縁２０２を備える。修正されたベアリングカップ２０４は、内壁面６８上に配置された溝２０６を備える。縁２０２は、スナップ処理で溝２０６内に配置されている。ケース２０１は、縁２０２がベアリングカップ２０４内に挿入され、その後、縁２０６内への配置時に適切な位置へスナップではめ込まれるように、たわみに対して弾力性および耐性があり、かつ成型可能な物質から形成されている。前述したように、デフレクタ１３０のリップ１３４は、トラニオン４４の溝１４９と係合し、該トラニオン上にベアリングカップアッセンブリ４８を保持する。
【００２２】
ベアリングカップアッセンブリ４８および５０がトラニオン４４および４６上に取り付けられると、該ベアリングカップアッセンブリが、脚のアパーチャー２８および３８へと挿入される。その後、十字具２０が中心に置かれ、力学的にバランスが取られ、脚２２および３２に連結される。ヨーク１６および１８を十字具２０へ固定する種々の方法が利用可能である。1つの方法として、スナップリング１６２を、ベアリングカップ５２の外壁面６６上に形成された周囲の溝１６４内に取り付ける方法がある。スナップリング１６２は、上記ベアリングアッセンブリを保持するために内部面２４と係合する。あるいは、ベアリングカップ５２の外面７０と係合する局部を作り出すために、杭で固定する、または金槌でたたくなどの処理を用いて、アパーチャー２８を囲む外部面２６の一部を変形させてもよい。別の方法として、上記脚と上記ベアリングとの間に伸びる通路内に、溶融樹脂を射出する方法がある。上記溶融樹脂は、上記脚の開口内に上記ベアリングカップを保持するために凝固する。さらに別の保持方法として、脚２２から伸び、かつベアリング５２の外面７０に対してスナップリングを係合させるために変形可能な突起（不図示）の使用がある。上述した方法の１つ以上は、公有の米国特許第６，２８０，３３５号、６，１６２，１２６号、および６，３３６，８６８号に開示されている。これらの完全な開示は、参照として本明細書に組み入れられる。
【００２３】
また、前述した説明は、本発明の実施形態の単なる例を開示および記述したものである。本発明の精神および範囲から逸脱することなく、種々の変更、修正、および変化を加えることができるということは、当業者であれば、上述の説明および添付図から容易に理解できるであろう。
【図面の簡単な説明】
【００２４】
【図１】本発明の主部によるユニバーサルジョイントの斜視図である。
【図２】図１に示すユニバーサルジョイントの分解斜視図である。
【図３】本発明の十字具およびベアリングカップアッセンブリの分解斜視図である。
【図４】本発明の教示に従って構成された一体シールデフレクタ固定器を備えたユニバーサルジョイントの部分的断面図である。
【図５】本発明の教示に従って構成された一体シールデフレクタ固定器の別の実施形態の断面図である。
【図６】本発明の教示に従って構成された一体シールデフレクタ固定器のさらに別の実施形態の断面図である。
【図１】
2006528759.tif 000003
【図２】
2006528759.tif 000004
【図３】
2006528759.tif 000005
【図４】
2006528759.tif 000006
【図５】
2006528759.tif 000007
【図６】
2006528759.tif 000008
【国際調査報告】
2006528759.tif 000009
2006528759.tif 000010
2006528759.tif 000011